(57)【要約】【課題】飲料容器に対する支持高さを確保し得るようにする。【解決手段】飲料容器２の側部を少なくとも部分的に包持可能な側部包持部３を有するカップホルダ本体４を備えたカップホルダ装置であって、カップホルダ本体４の側部包持部３の縁部に、収容凹部１１を設け、収容凹部１１に、側部包持部３のほぼ接線方向へ延びる支持軸１２を中心に起倒することにより、起立状態で飲料容器２の側部を高さ方向に支持可能で、且つ、倒伏状態で収容凹部１１へ収容可能な高さ方向支持部材１３を設け、高さ方向支持部材１３を倒伏方向へ常時付勢可能な付勢部材１６を設けると共に、高さ方向支持部材１３に、側部包持部３の内方へ突出して飲料容器２によって下方へ押下げられることにより、高さ方向支持部材１３を起立可能な操作端１５を設けるようにしている。【選択図】図２
2008049870.tif 000002
【特許請求の範囲】
【請求項１】
飲料容器の側部を少なくとも部分的に包持可能な側部包持部を有するカップホルダ本体を備えたカップホルダ装置において、
前記カップホルダ本体の側部包持部の縁部に、収容凹部を設け、
該収容凹部に、側部包持部のほぼ接線方向へ延びる支持軸を中心に起倒することにより、起立状態で飲料容器の側部を高さ方向に支持可能で、且つ、倒伏状態で収容凹部へ収容可能な高さ方向支持部材を設け、
該高さ方向支持部材を倒伏方向へ常時付勢可能な付勢部材を設けると共に、
高さ方向支持部材に、側部包持部の内方へ突出して飲料容器によって下方へ押下げられることにより、高さ方向支持部材を起立可能な操作端を設けたことを特徴とするカップホルダ装置。
【請求項２】
高さ方向支持部材の下部に、高さ方向支持部材の起立により持上げられて、収容凹部の内側を目隠可能な目隠部材を設けたことを特徴とする請求項１記載のカップホルダ装置。
【発明の詳細な説明】
【技術分野】
【０００１】
この発明は、カップホルダ装置に関するものである。
【背景技術】
【０００２】
自動車等の車両には、車室内にカップホルダ装置が設けられている。カップホルダ装置には各種のものがあり、その中には引出式のものや回動式のもの等も存在している（例えば、特許文献１参照）。このような引出式等のカップホルダ装置は、例えば、飲料容器の側部を少なくとも部分的に包持可能な側部包持部を有するカップホルダ本体と、飲料容器の底部を支持可能な底部支持部とを備えている。そして、このようなカップホルダ本体は、通常、車室内装パネル等に取付けられたケーシングに対して出入自在な横向きのほぼ薄板状に形成されている。側部包持部は、カップホルダ本体にほぼ円形状に開口形成されるか、或いは、ほぼ円弧状に切欠形成されている。底部支持部は、カップホルダ本体に対して、その裏面側に収納された収納状態から側部包持部の下方へ張出された使用状態へと上下揺動可能に取付けられている。
【特許文献１】特開平９−２２６４３３号公報
【発明の開示】
【発明が解決しようとする課題】
【０００３】
しかしながら、上記した引出式等のカップホルダ装置は、収納スペースの関係から、カップホルダ本体が、横向きのほぼ薄板状等とされるので、飲料容器に対する支持高さを確保するのが難しいという問題があった。
【課題を解決するための手段】
【０００４】
上記課題を解決するために、請求項１に記載された発明では、飲料容器の側部を少なくとも部分的に包持可能な側部包持部を有するカップホルダ本体を備えたカップホルダ装置において、前記カップホルダ本体の側部包持部の縁部に、収容凹部を設け、該収容凹部に、側部包持部のほぼ接線方向へ延びる支持軸を中心に起倒することにより、起立状態で飲料容器の側部を高さ方向に支持可能で、且つ、倒伏状態で収容凹部へ収容可能な高さ方向支持部材を設け、該高さ方向支持部材を倒伏方向へ常時付勢可能な付勢部材を設けると共に、高さ方向支持部材に、側部包持部の内方へ突出して飲料容器によって下方へ押下げられることにより、高さ方向支持部材を起立可能な操作端を設けたカップホルダ装置を特徴としている。
【０００５】
請求項２に記載された発明では、高さ方向支持部材の下部に、高さ方向支持部材の起立により持上げられて、収容凹部の内側を目隠可能な目隠部材を設けたカップホルダ装置を特徴としている。
【発明の効果】
【０００６】
請求項１の発明によれば、カップホルダ本体の側部包持部の縁部に、収容凹部を設け、該収容凹部に、側部包持部のほぼ接線方向へ延びる支持軸を中心に起倒することにより、起立状態で飲料容器の側部を高さ方向に支持可能で、且つ、倒伏状態で収容凹部へ収容可能な高さ方向支持部材を設け、該高さ方向支持部材を倒伏方向へ常時付勢可能な付勢部材を設けると共に、高さ方向支持部材に、側部包持部の内方へ突出して飲料容器によって下方へ押下げられることにより、高さ方向支持部材を起立可能な操作端を設けるようにしたので、カップホルダ本体の側部包持部へ飲料容器を差込むと、操作端が下方へ押下げられ、付勢部材に抗して高さ方向支持部材が起立されることとなるので、高さ方向支持部材によって飲料容器を高さ方向に支持することができる。これにより、カップホルダ本体が横向きのほぼ薄板状のもの等であっても飲料容器に対する支持高さを確保することができる。反対に、カップホルダ本体の側部包持部から飲料容器を取出すと、操作端に対する押下力が解放されるため、付勢部材の付勢力により、高さ方向支持部材は収容凹部へ収容される。これにより、特に何もしなくても、高さ方向支持部材は勝手に作動するので、高さ方向支持部材を操作する煩わしさがない。また、倒伏時に高さ方向支持部材が収容凹部へ収容されることにより、倒伏時（飲料容器の非保持時）の見栄えを向上することができると共に、高さ方向支持部材がカップホルダ本体のケーシングに対する出入を妨げるようなことがない。
【０００７】
請求項２の発明によれば、高さ方向支持部材の下部に設けた目隠部材が、高さ方向支持部材の起立により持上げられて収容凹部の内側を目隠しすることにより、起立時の見栄えの悪化を防止することができる。
【発明を実施するための最良の形態】
【０００８】
飲料容器に対する支持高さを確保し得るようにするという目的を、カップホルダ本体の側部包持部の縁部に、収容凹部を設け、収容凹部に、側部包持部のほぼ接線方向へ延びる支持軸を中心に起倒することにより、起立状態で飲料容器の側部を高さ方向に支持可能で、且つ、倒伏状態で収容凹部へ収容可能な高さ方向支持部材を設け、高さ方向支持部材を倒伏方向へ常時付勢可能な付勢部材を設けると共に、高さ方向支持部材に、側部包持部の内方へ突出して飲料容器によって下方へ押下げられることにより、高さ方向支持部材を起立可能な操作端を設ける、という手段で実現した。
【実施例】
【０００９】
以下、本発明を具体化した実施例について、図示例と共に説明する。
【００１０】
図１〜図６は、この発明の実施例を示すものである。
【００１１】
まず、構成について説明する。自動車等の車両には、車室内にカップホルダ装置が設けられている。カップホルダ装置には各種のものがあり、その中には図１、図２に示すような引出式や回動式のもの等も存在している。このような引出式等のカップホルダ装置１は、例えば、飲料容器２の側部を少なくとも部分的に包持可能な側部包持部３を有するカップホルダ本体４と、飲料容器２の底部を支持可能な底部支持部５とを備えている。
【００１２】
そして、このカップホルダ本体４は、インストルメントパネル等の車室内装パネル等に取付けられたケーシングに対して、手前側に引出すか或いは回動させることにより出入自在な横向きのほぼ薄板状に形成されている。
【００１３】
側部包持部３は、カップホルダ本体４にほぼ円形状に開口形成されるか、或いは、ほぼ円弧状に切欠形成されている。側部包持部３が円弧状をしている場合には、更に、切欠部分に対して、側部包持部３と連続するように側部保持部材６が取付けられる。この側部保持部材６は、ほぼ円弧状のアームで構成され、その後端部をカップホルダ本体４に回動可能に軸支されることにより、その先端部が側部包持部３に対して近接離反動可能とされている。そして、側部保持部材６は、付勢部材によって近接方向へ回動するように付勢されることにより、飲料容器２の大きさの変化に対応し得るよう構成される。
【００１４】
また、底部支持部５は、カップホルダ本体４に対して、その裏面側に収納された収納状態から側部包持部３の下方へ張出された使用状態へと上下揺動可能に取付けられている。この場合、底部支持部５は、上側に開いたコ字形状を呈している。そして、コ字形状の両腕部の先端がカップホルダ本体４に軸着されている。
【００１５】
そして、以上のような基本構成に対し、この実施例のものでは、図３、図４に示すように、カップホルダ本体４の側部包持部３の縁部に、収容凹部１１を設ける。この収容凹部１１の平面形状は、側部包持部３のほぼ半径方向へ延びる舌片状等とするのが好ましい。この場合、収容凹部１１は、側部包持部３をほぼ３分割するように２箇所設けられている。
【００１６】
この収容凹部１１に、図５、図６に示すように、側部包持部３のほぼ接線方向へ延びる支持軸１２を中心に起倒することにより、起立状態で飲料容器２の側部を高さ方向に支持可能で、且つ、倒伏状態でカップホルダ本体４に設けた収容凹部１１へ収容可能な高さ方向支持部材１３を設ける。高さ方向支持部材１３は、収容凹部１１とほぼ合致する平面形状等とする。また、高さ方向支持部材１３は、倒伏状態で側部包持部３の上面とほぼ同一レベルか、若干低いレベルに納まるようにするのが好ましい。
【００１７】
そして、図７、図８に示すように、高さ方向支持部材１３を倒伏方向へ常時付勢可能な付勢部材１６を設ける。更に、高さ方向支持部材１３に、側部包持部３の内方へ突出して飲料容器２によって下方へ押下げられることにより、高さ方向支持部材１３を起立可能な操作端１５を設ける。この付勢部材１６には、例えば、その中間コイル部が支持軸１２に外嵌されて、その両端部がそれぞれ操作端１５の下面とカップホルダ本体４との間に係止された、ねじりバネなどのバネ部材を用いる。
【００１８】
また、高さ方向支持部材１３の下部に、高さ方向支持部材１３の起立により持上げられて、収容凹部１１の内側を目隠可能な目隠部材１７を設ける。更に、この目隠部材１７を、高さ方向支持部材１３の倒伏により高さ方向支持部材１３との干渉を避けて下方へ退避し得るようにする。なお、目隠部材１７は、持上げられた時には、図６に示すようなほぼ水平状態となり、下方へ退避された時には、図５に示すように、先下がりの状態となるようにする。
【００１９】
そのために、図６に示すように、高さ方向支持部材１３の下面側における軸支部２１の周囲に、目隠部材１７の軸支部２２側の端部を収容可能な凹形状部２３を設け、この凹形状部２３に、目隠部材１７を持上げるための持上用カム面２５と、目隠部材１７を下方へ退避させるための退避用カム面２４とをそれぞれ形成する。また、目隠部材１７の軸支部２１側の端部の外面部分に、持上用カム面２５によって操作される持上用操作面２７と、退避用カム面２４によって操作される退避用操作面２６とをそれぞれ形成する。なお、持上用カム面２５は、高さ方向支持部材１３の操作端１５側に設けられ、退避用カム面２４は高さ方向支持部材１３の先端側（操作端１５とは反対の側）に設けられる。
【００２０】
次に、この実施例の作用について説明する。
【００２１】
この実施例によれば、カップホルダ本体４の側部包持部３の縁部に、収容凹部１１を設け、収容凹部１１に、側部包持部３のほぼ接線方向へ延びる支持軸１２を中心に起倒することにより、起立状態で飲料容器２の側部を高さ方向に支持可能で、且つ、倒伏状態でカップホルダ本体４に設けた収容凹部１１へ収容可能な高さ方向支持部材１３を設け、高さ方向支持部材１３を倒伏方向へ常時付勢可能な付勢部材１６を設けると共に、高さ方向支持部材１３に、側部包持部３の内方へ突出して飲料容器２によって下方へ押下げられることにより、高さ方向支持部材１３を起立可能な操作端１５を設けるように構成したので、カップホルダ本体４の側部包持部３へ飲料容器２を差込むと、操作端１５が下方へ押下げられ、付勢部材１６に抗して高さ方向支持部材１３が起立されることとなるので、高さ方向支持部材１３によって飲料容器２を高さ方向に支持することができる。
【００２２】
これにより、カップホルダ本体４が横向きのほぼ薄板状のもの等であっても飲料容器２に対する支持高さを確保することができる。
【００２３】
反対に、カップホルダ本体４の側部包持部３から飲料容器２を取出すと、操作端１５に対する押下力が解放されるため、付勢部材１６の付勢力により、高さ方向支持部材１３は収容凹部１１へ収容される。
【００２４】
これにより、特に何もしなくても、高さ方向支持部材１３は勝手に作動するので、高さ方向支持部材１３を操作する煩わしさがない。
【００２５】
また、倒伏時に高さ方向支持部材１３が収容凹部１１へ収容されることにより、倒伏時（飲料容器２の非保持時）の見栄えを向上することができると共に、高さ方向支持部材１３がカップホルダ本体４のケーシングに対する出入を妨げるようなことがない。
【００２６】
更に、高さ方向支持部材１３の下部に設けた目隠部材１７が、高さ方向支持部材１３の起立により持上げられて収容凹部１１の内側を目隠しすることにより、起立時の見栄えの悪化を防止することができる。
【００２７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００２８】
【図１】本発明の実施例にかかるカップホルダ装置の飲料容器を収容していない状態の斜視図である。
【図２】図１のカップホルダ装置の飲料容器を収容した状態の斜視図である。
【図３】図１で高さ方向支持部材を起立させた状態の斜視図である。
【図４】図３を異なる方向から見た斜視図である。
【図５】高さ方向支持部材が倒伏した状態を示すカップホルダ本体の側方断面図である。
【図６】高さ方向支持部材が起立した状態を示すカップホルダ本体の側方断面図である。
【図７】図５の付勢部材の部分の側方断面図である。
【図８】図６の付勢部材の部分の側方断面図である。
【符号の説明】
【００２９】
２    飲料容器
３    側部包持部
４    カップホルダ本体
１１  収容凹部
１２  支持軸
１３  高さ方向支持部材
１５  操作端
１６  付勢部材
１７  目隠部材
【図１】
2008049870.tif 000003
【図２】
2008049870.tif 000004
【図３】
2008049870.tif 000005
【図４】
2008049870.tif 000006
【図５】
2008049870.tif 000007
【図６】
2008049870.tif 000008
【図７】
2008049870.tif 000009
【図８】
2008049870.tif 000010